(57)【要約】地面に沿って可動なスポーツ用具と結合可能であるスポーツ靴、特に、スキー靴であって、母指球の軸線の中心が、前記スポーツ用具の長手軸線とスキー内側エッジとの間に位置し、シェル（１）の対称軸線（Ｓ１）が底板（２）の対称軸線（Ｓ２）に対して角度（α）だけ回転された、それにより、踵中央が、スキー（３）の対称軸線（ＳＸ）とスキー（３）の内側エッジ（Ｋｉ）との間に位置する。
2005530523.tif 000002
【特許請求の範囲】
【請求項１】
地面に沿って可動なスポーツ用具と結合可能であり、シェルと底板とを具備し、前記シェル（１）の対称軸線（Ｓ１）が前記底板の対称軸線（Ｓ２）に対して角度（α）だけ回転されたスポーツ靴、特にスキー靴において、母指球の軸線の中心が、前記スポーツ用具の長手軸線上又は前記スポーツ用具の長手軸線とスキー内側エッジとの間に位置し、踵中央が、スキー（３）の対称軸線（ＳＸ）と前記スキー（３）の内側エッジ（Ｋｉ）との間に位置することを特徴とするスポーツ靴。
【請求項２】
足指領域の前記シェル（１）の前記対称軸線（Ｓ１）が、前記足指領域において寸法（ｚ）だけ内側にオフセットされることを特徴とする請求項１に記載のスポーツ靴。
【発明の詳細な説明】
【技術分野】
【０００１】
本発明は、スポーツ靴、特に請求項１の前段部分によるスキー靴に関する。
【背景技術】
【０００２】
例えば、アルペンスキー、クロスカントリースキー、スピードスケート、インラインスケート等のような多くの近代的スポーツ種目の場合、今日、強固な耐性のある材料からなるスポーツ靴が使用され、このスポーツ靴は、足指領域および踵領域において通常靴底に一体化される接続片を使用し、この結果、例えばスキー締め具のような機械的要素によって、例えばスキーのようなスポーツ用具に対して安定した、また、スポーツ種目に応じて機能性のある結合を達成することができる。
【０００３】
これらの靴は、通常、足を包み込むシェルならびに底板から構成される。これらの両方のユニットは、一体に、例えばプラスチック射出成形により製造されるか、あるいは、複数部分から形成されて、機械的に、例えば、ねじ留め、リベット留め、又は、接着等によって互いに結合することができる。通常、スキー靴の場合、底板およびシェルはそれらの長手軸線に対し互いに対称に構成される。すなわち、快適な楽な姿勢における健康な人間の足の自然のＶ姿勢は、スキーにおいて平行の方向に強制され、これによって、エッジングの際に膝関節のねじれをもたらし、それに応じて、荷重方向は骨軸、上腿部および脛骨内で、もはや正確に直線的に延在せず、曲がって延在し、これによって膝の負傷および疲労現象が生じる可能性があり、同時にスキー滑走の最適な行使が保証されない。
【０００４】
図２は、シェル１の対称の構造を有する従来の靴を示しており、この場合、底板の対称軸線およびスキー３の対称軸線ＳＸは完全に一致する。母指球の重心ＢＳがスキー３の対称軸線ＳＸとスキーの外側エッジＫａのとの間に位置することが、明らかに理解できる。
【発明の開示】
【発明が解決しようとする課題】
【０００５】
この構造は、外側エッジに望ましくない圧力を引き起こす。
【０００６】
この問題を改善するために、ＥＰ０６３４９００Ｂ１によって、踵中央と足の親指を受容する靴底湾曲部の中央との間の結合線がスキーの移動方向に対し平行に延在する靴構造が提案されている。この種類のスキー靴構造の場合、当然、母指球の軸線の中心によって画定される母指球の重心は、対称構造を有するスキー靴の場合に一般的に当てはまるように、同様にスキー長手軸線とスキーの外側エッジとの間に位置するようになる。これによって、スキー滑走に対する逆効果の作用がもたらされ、この理由は、この母指球の重心位置によって、スキーの外側エッジに強められた圧力が及ぼされ、またこの圧力がスキーの所望の移動方向に対し対抗作用するからである。
【０００７】
ＤＥ４１３８８０１ＡおよびＤＥ４３０３１８９Ａによって、シェルおよび底を有するスキー靴が公知であり、この場合、シェルは靴底に対しある角度を成す。この場合、踵はスキー中央と内側スキーエッジとの間に位置する。この公知のスキー靴の場合、母指球の重心の位置が考慮されていないので、特にアルペンスキー滑走の場合、スキーのターン開始の際に、特に谷側スキーが内側エッジを介してエッジングされるときに困難が生じる。母指球領域には神経索が集まっているので、母指球の重心は、バイオメカニックの観点から、運動の開始にとって、特にスキーの操縦にとって特に重要である。
【課題を解決するための手段】
【０００８】
この問題は、冒頭に述べた種類のスポーツ靴において、本発明によれば、請求項１の特徴部分による手段によって解決される。
【０００９】
すなわち、母指球の重心がスキー長手軸線とスキー外側エッジとの間に位置する場合、導入された力がターン開始の際にスキーのエッジングに対し反対方向に確実に作用し、これが反応の遅れおよび滑走特性の悪化をもたらすことが示されている。
【００１０】
請求項２による手段によってターン開始が速められ、これによってトップ・スポーツにとって特別な利点が達成される。
【発明を実施するための最良の形態】
【００１１】
図面を参照して、本発明について以下に詳細に説明する。
【００１２】
図１において、Ｙは、点ＢＡで母指球の外側を、及び、点ＢＩで母指球の内側を画定される母指球軸線を示している。ＢＳは、距離ＢＡ−ＢＩの半分である母指球の重心を示している。
【００１３】
図３において、ＳＸは、靴の底板の対称軸線Ｓ２と完全に一致し、これによってスキー締め具の完全な機能が保証されるスキー３の対称軸線を示している。
【００１４】
シェル１の対称軸線Ｓ１は、底板２の対称軸線Ｓ２に対して角度αだけ回転され、この結果、踵中央は、スキー３の対称軸線ＳＸとスキー３の内側エッジＫｉとの間に位置するようになる。
【００１５】
さらに、軸線Ｓ１は、足指領域において寸法ｚだけ内側にオフセットされ、これによって、母指球の重心ＢＳはスキー３の対称軸線ＳＸの上に位置する。
【００１６】
この構造は、特に中立的な滑走特性をもたらす。
【００１７】
寸法ｚを大きくすると、母指球の重心ＢＳは、スキー３の内側エッジＫｉの方向に次第に移動する。これによって、より直接的なターン開始が達成され、トップ・スポーツで特に有利である。
【図面の簡単な説明】
【００１８】
【図１】健康な人間の足の型を示している。
【図２】対称軸線Ｓ１の公知の靴を示している。
【図３】対称軸線Ｓ１の本発明による靴の実施態様を示している。
【図１】
2005530523.tif 000003
【図２】
2005530523.tif 000004
【図３】
2005530523.tif 000005
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
地面に沿って可動なスキーと結合可能であり、シェルと底板とを具備し、前記シェル（１）の対称軸線（Ｓ１）が前記底板の対称軸線（Ｓ２）に対して角度（α）だけ回転されたスポーツ靴、特にスキー靴において、母指球の軸線の中心が、前記スキーの長手軸線の上又は前記スキーの長手軸線とスキー内側エッジとの間に位置し、踵中央が、前記スキー（３）の対称軸線（ＳＸ）と前記スキー（３）の内側エッジ（Ｋｉ）との間に位置することを特徴とするスポーツ靴。
【請求項２】
前記スキー（３）の前記対称軸線（ＳＸ）が前記靴の前記底板の前記対称軸線（ＳＸ）と一致し、足指領域の前記シェル（１）の前記対称軸線（Ｓ１）が、前記足指領域において寸法（ｚ）だけ内側にオフセットされ、この結果、母指球の重心（ＢＳ）が前記スキー（３）の前記対称軸線（ＳＸ）上に位置することを特徴とする請求項１に記載のスポーツ靴。
【国際調査報告】
2005530523.tif 000006
2005530523.tif 000007
2005530523.tif 000008
2005530523.tif 000009
2005530523.tif 000010
2005530523.tif 000011